【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】  供給されたシートを複数枚重ねて溜めて排出するシート保持手段と、
前記シート保持手段のシート搬送方向の下流側でシートが積載されて、該シートに処理が施される第１シート積載手段と、
前記第１シート積載手段に積載された前記シートを排出するシート排出手段と、
前記シート排出手段によって排出された前記シートが積載される第２シート積載手段と、
前記シート保持手段に後続のシートが所定時間供給されないとき、前記シート排出手段と前記シート保持手段とを制御して前記第１シート積載手段の前記シートを前記第２シート積載手段に排出させた後、前記シート保持手段に溜められた前記シートを前記第１シート積載手段に排出させるシート排出制御手段と、
を備えたことを特徴とするシート処理装置。
【請求項２】  供給されたシートを複数枚重ねて溜めるシート保持手段と、
前記シート保持手段によって溜められたシート又は前記シート保持手段を素通りしたシートが積載されて、該シートに処理が施される第１シート積載手段と、
前記第１シート積載手段から排出されたシートが積載される第２シート積載手段と、
前記シート保持手段に溜められたシートと前記第１シート積載手段に積載されたシートとを一緒に搬送して、前記第１シート積載手段に積載されたシートが前記第２シート積載手段に排出された後、前記シート保持手段に溜められたシートを前記第１シート積載手段に積載するシート搬送手段と、
前記シート保持手段に後続のシートが所定時間供給されないとき、前記シート搬送手段を制御して前記第１シート積載手段に積載されたシートを前記第２シート積載手段に排出させ、かつ前記シート保持手段に溜められたシートを前記第１シート積載手段に積載させるシート排出制御手段と、
を備えたことを特徴とするシート処理装置。
【請求項３】  供給されたシートを複数枚重ねて溜めるシート保持手段と、
前記シート保持手段によって溜められたシート又は前記シート保持手段を素通りしたシートが積載されて、該シートに処理が施される第１シート積載手段と、
前記第１シート積載手段に積載されたシートを前記シート保持手段に溜められた前記シートより所定量下流側に搬送可能な第１シート搬送手段と、
前記第１シート積載手段から排出されたシートが積載される第２シート積載手段と、
前記第１シート積載手段に積載されたシートが前記第１シート搬送手段によって前記所定量だけ下流側に搬送された後、該シートと前記保持手段に溜められたシートとを一緒に搬送して、前記第１シート積載手段に積載されたシートを前記第２シート積載手段に排出して、前記シート保持手段に積載されたシートを前記第１シート積載手段に積載する第２シート搬送手段と、
前記シート保持手段に後続のシートが所定時間供給されないとき、前記シート保持手段と前記第２シート搬送手段とを制御して、前記第１シート積載手段に積載されたシートを前記第２シート積載手段に排出させ、かつ前記シート保持手段に溜められたシートを前記第１シート積載手段に積載させるシート排出制御手段と、
を備えたことを特徴とするシート処理装置。
【請求項４】  前記シート保持手段の上流側に、前記シート保持手段にシートを供給する回転体対を備え、該回転体対の回転体同士は接離可能であることを特徴とする請求項１乃至３のいずれか１項に記載のシート処理装置。
【請求項５】
シートに画像を形成する画像形成手段と、
前記画像形成手段によって画像を形成されたシートに処理を施すシート処理装置と、を備え、
前記シート処理装置は、請求項１乃至４のいずれか１項に記載のシート処理装置であることを特徴とする画像形成装置。
【手続補正２】
【補正対象書類名】明細書
【補正対象項目名】００２３
【補正方法】変更
【補正の内容】
【００２３】
（画像形成装置）
複写機１００は、装置本体１０１とシート処理装置１１９とで構成されている。装置本体１０１の上部には、原稿給送装置１０２を装備してある。原稿Ｄは、ユーザによって原稿載置部１０３に載置されて給送部１０４により１枚ずつ順次分離してレジストローラ対１０５に供給される。続いて、原稿Ｄは、レジストローラ対１０５によって一旦停止され、ループを形成させられて斜行が矯正される。その後、原稿Ｄは、導入パス１０６を通り、読取位置１０７を通過することで、原稿表面に形成されている画像を読み取られる。読取位置１０７を通過した原稿Ｄは、排出パス１０８を通過して、排出トレイ１０９上に排出される。
【手続補正３】
【補正対象書類名】明細書
【補正対象項目名】００２７
【補正方法】変更
【補正の内容】
【００２７】
感光体ドラム１１４に、形成された潜像は、さらに、図示しないトナー供給装置から供給されたトナーによってトナー像が形成される。カセット１１５には、紙あるいは、プラスチックフィルム等のシートである記録媒体が積載されている。シートは、記録信号に応じてカセット１１５から送り出されて、レジストローラ対１５０によって感光体ドラム１１４と転写器１１６との間への進入のタイミングをはかられてその間に進入する。そして、転写器１１６によって、感光体ドラム１１４上のトナー像がシートに転写される。トナー像が転写されたシートは定着器１１７を通過する間に定着器１１７の加熱加圧によって、トナー像を定着される。
【手続補正４】
【補正対象書類名】明細書
【補正対象項目名】００２９
【補正方法】変更
【補正の内容】
【００２９】
図２は、複写機全体の制御ブロック図である。複写機１００全体は、ＣＰＵ２００によって制御されるようになっている。ＣＰＵ２００内には、各部のシーケンス、すなわち制御手順を記憶してあるＲＯＭ２０２と、必要に応じて一時的に種々の情報が記憶されるＲＡＭ２０３が設けられている。原稿給送装置制御部２０４は、原稿給送装置１０２の原稿送り動作を制御するようになっている。イメージリーダ制御部２０５は、照明系１１１等を制御して、原稿の読み取りを制御するようになっている。画像信号制御２０６は、イメージリーダ制御部２０５の読み取り情報、或いは、外部のコンピュータ２０７から送られてくる画像情報を外部Ｉ／Ｆ２０８を介して受信し、その情報を処理して、プリンタ制御部２０９に処理信号を送るようになっている。プリンタ制御部２０９は、画像信号制御部２０６からの画像処理信号に基づいて感光ドラム１１４等を制御して、シートに画像が形成できるようにする。
【手続補正５】
【補正対象書類名】明細書
【補正対象項目名】００３１
【補正方法】変更
【補正の内容】
【００３１】
（シート処理装置）
図３は、シート処理装置の縦断面図である。図４は、各駆動系を示した縦断面図である。図８は、シート処理装置の制御ブロック図である。図９は、シート処理装置の動作を説明するための、フローチャートである。図１０乃至図１２は、経過時間に対する、後端アシスト１３４の移動速度と揺動ローラ対１２７のシート搬送速度との関係を示す図である。図１０は、後端アシスト１３４と揺動ローラ対１２７とでシート束を送り出す、単独束出しシーケンスの図である。図１１は、後端アシスト１３４と揺動ローラ対１２７との始動速度が異なる場合の束出し制御の図である。図１２は、後端アシスト、揺動ローラ対、第１排紙ローラ対でシート束とバッファユニット１４０に溜めたバッファシートとを同時に搬送する、同時束出しシーケンスの図である。
【手続補正６】
【補正対象書類名】明細書
【補正対象項目名】００３４
【補正方法】変更
【補正の内容】
【００３４】
このバッファユニット１４０は、シートを真っ直ぐな状態で複数枚重ねて溜めるようになっているので、従来の、例えばバッファローラを有している機構と異なって、扁平にすることができて、シート処理装置を小形化、軽量化することができる。さらに、シートを真っ直ぐな状態で溜めることができるので、バッファローラの場合と異なって、シートを丸めることがないので、シートを取り扱いやすく、その分、シート処理装置としてのシートの処理時間を短縮することができる。
【手続補正７】
【補正対象書類名】明細書
【補正対象項目名】００４４
【補正方法】変更
【補正の内容】
【００４４】
このとき、上ローラ１２７ａは束出しモータＭ３（図４参照）によって、すでに矢印方向に回転している。さらに、処理トレイ１２９に接離自在な戻しローラ１３０も束出しモータＭ３（図４参照）によって、矢印方向に回転している。しかし、下ローラ１２７ｂは、束下クラッチＣＬ（図４参照）の作動によって（Ｓ１０２）、空転するようになっている。これは、１枚目のシートを処理トレイ１２９に積載した後に、２枚目以降のシートが積載されるとき、下ローラ１２７ｂが回転していると、下ローラ１２７ｂが１枚目のシートもストッパ１３１側に押し込んで、１枚目のシートに皺を生じさせるおそれがあるためである。
【手続補正８】
【補正対象書類名】明細書
【補正対象項目名】００６７
【補正方法】変更
【補正の内容】
【００６７】
図２７（ｂ）において、図１１，１２に示すように、第１排紙ローラ対１２６、揺動ローラ対１２７、後端アシスト１３４の起動時（Ｔ１）及び起動速度（１３２ｍｍ／ｓｅｃ）が同じで、同じ加速終了速度（５００ｍｍ／ｓｅｃ）に同じ時間（Ｔ２）に到達すれば、第１排紙ローラ対１２６、揺動ローラ対１２７、後端アシスト１３４は、シート束や、３枚のシートに引っ張り力や圧縮力を加えるようなことがなく、シート束を排出することができる。しかし、起動速度に差がある場合には、図９のＳ１０７におけるように、ΔＴの時間差を設けて、各々を始動するようにすると、シート束や、３枚のシートに引っ張り力や圧縮力を加えるようなことがなく、シート束を排出することができる。また、第１排紙ローラ対１２６や揺動ローラ対１２７によるローラの擦れ痕がシートに付いて、シート束の品質や、シート束の画像の品質を低下させるようなことがない。
【手続補正９】
【補正対象書類名】明細書
【補正対象項目名】００７１
【補正方法】変更
【補正の内容】
【００７１】
仮に、図２９に示すように、下流端の突出長さが、上記長さＬより短いＬ１であるとすると、上流端の突出長さもＬ１になる。このため、揺動ローラ対１２７が、シート束Ｐをスタックトレイ１２８に排出してから、３枚のバッファシートを掴む長さが短くなり、３枚のバッファシートを掴み損なって処理トレイ１２９に確実に送り込むことができなくなることがある。したがって、揺動ローラ対１２７がバッファシートを確実に掴んで処理トレイ１２９に送り込むことができるようにするため、シート束をバッファローラに対して長さＬだけ突出させている。
【手続補正１０】
【補正対象書類名】明細書
【補正対象項目名】００７５
【補正方法】変更
【補正の内容】
【００７５】
また、このような現象は、シート束を確実に排出しようとして、シート束に対する揺動ローラ対１２７の挟圧力を高めると、発生しやすくなる。逆に挟圧力を弱めると、シート束を確実に搬送することができない。したがって、揺動ローラ対１２７の挟圧力の設定が困難である。
【手続補正１１】
【補正対象書類名】明細書
【補正対象項目名】００７６
【補正方法】変更
【補正の内容】
【００７６】
そこで、本実施形態のシート処理装置は、揺動ローラ対１２７のみでなく、後端アシスト１３４によってもシート束を排出するようになっているので、上記のようなシートに対する滑り回転をしたり、シート束を捩じったりすることがなくなり、シートやシート束に損傷を与えることなく、シート束を円滑、かつ速やかに排出することができる。また、揺動ローラ対１２７の挟圧力を厳密に管理することなく、シート束を排出することができるようになる。
【手続補正１２】
【補正対象書類名】明細書
【補正対象項目名】００９２
【補正方法】変更
【補正の内容】
【００９２】
図３３における、機内先頭シート動作（Ｓ３０７）は、図３４に符号Ｓ４０１乃至符号Ｓ４２０で示すように、先頭シートを処理トレイ１２９に積載してシート処理を開始するまでの動作である。
【手続補正１３】
【補正対象書類名】明細書
【補正対象項目名】００９８
【補正方法】変更
【補正の内容】
【００９８】
その後、ＣＰＵ２２１は、装置本体１０１のＣＰＵ回路２００からのシート束の最終シート情報によって、あるいは、シート枚数をカウントするカウンタからのシート枚数に基づいて、束内最終シートであるか否かを判断する（図４０、Ｓ８１１）。最終シートでない場合、ＣＰＵ２２１は、前整合モータＭ５、奥整合モータＭ６（図８参照）を制御して、前整合板１４４ａと奥整合板１４４ｂ（図５参照）を退避位置に戻す（Ｓ８２２，Ｓ８２３）。
【手続補正１４】
【補正対象書類名】明細書
【補正対象項目名】符号の説明
【補正方法】変更
【補正の内容】
【符号の説明】
Ｄ      原稿
Ｐ      シート
Ｌ      シート束とバッファシートの突出長さの差
Ｓ１      入口パスセンサ
Ｓ２      バッファセンサ
ＳＰ      スイッチバックポイント
ＣＬ      束下クラッチ
Ｍ１      共通搬送モータ
Ｍ２      入口搬送モータ
Ｍ３      束出しモータ
Ｍ４      後端アシストモータ
１０      シート処理装置
１１      処理トレイ（第１シート積載手段）
１５      複写機（画像形成装置）
１６      複写機（画像形成装置）の装置本体
１８      揺動ローラ対（シート搬送手段）
１９      ステイプラユニット
２０      制御部（シート排出制御手段）
２２      スタックトレイ（第２シート積載手段）
２３      バッファユニット（シート保持手段）
１００      複写機（画像形成装置）
１０１      装置本体
１０２      原稿給送装置
１０４      給送部
１１４      感光ドラム（画像形成手段）
１１９      シート処理装置
１２１      入口ローラ対
１２３ａ    上搬送ガイド板
１２３ｂ    下搬送ガイド板
１２４      バッファローラ
１２６      第１排紙ローラ対（保持シート搬送部）
１２６ａ    上第１排紙ローラ
１２６ｂ    下第１排紙ローラ
１２７      揺動ローラ対（シート搬送手段、第２シート搬送手段）
１２７ａ    上ローラ
１２７ｂ    下ローラ
１２８      スタックトレイ（第２シート積載手段）
１２９      処理トレイ（第１シート積載手段）
１３０      戻しローラ
１３１      ストッパ
１３２      ステイプラユニット
１３３      紙面検知レバー
１３４      後端アシスト（第１シート搬送手段）
１３５      後端押さえ
１３６      後端受け止め部
１３７      受け取りローラ対（回転体対）
１４０      バッファユニット（シート保持手段）
１４１      摩擦部材
１５０      レジストローラ対
２００      ＣＰＵ
２１０      操作部
２１１      フィニッシャ制御部（シート排出制御手段）
２１２      ＦＡＸ制御部
２２１      ＣＰＵ
【手続補正１５】
【補正対象書類名】図面
【補正対象項目名】図１
【補正方法】変更
【補正の内容】
【図１】
2004269165.tif 000001
【手続補正１６】
【補正対象書類名】図面
【補正対象項目名】図１４
【補正方法】変更
【補正の内容】
【図１４】
2004269165.tif 000002
【手続補正１７】
【補正対象書類名】図面
【補正対象項目名】図２２
【補正方法】変更
【補正の内容】
【図２２】
2004269165.tif 000003
【手続補正１８】
【補正対象書類名】図面
【補正対象項目名】図２６
【補正方法】変更
【補正の内容】
【図２６】
2004269165.tif 000004
【手続補正１９】
【補正対象書類名】図面
【補正対象項目名】図４０
【補正方法】変更
【補正の内容】
【図４０】
2004269165.tif 000005